(57)【要約】【課題】安価で、しかも、脱毛用ローション等を人間の皮膚表面等に均一に塗布することができるローラ付塗布容器を提供する。【解決手段】上部が首部１ａに形成された容器本体１と、上記首部１ａに取着される横長形状の蓋部２と、この蓋部２の上端部に形成された横長形状の凹部１３と、この凹部１３内に回転自在に横向き配設されたローラ３とを備え、このローラ３が可撓性部材からなり、上記凹部１３に、上記首部１ａ内に連通する塗布液流出用貫通孔が穿設されている。【選択図】図１
2005027815.tif 000002
【特許請求の範囲】
【請求項１】
上部が首部に形成された容器本体と、上記首部に取着される横長形状の蓋部と、この蓋部の上端部に形成された横長形状の凹部と、この凹部内に回転自在に横向き配設されたローラとを備え、このローラが可撓性部材からなり、上記凹部に、上記首部内に連通する塗布液流出用貫通孔が穿設されていることを特徴とするローラ付塗布容器。
【請求項２】
上記ローラが、可撓性部材からなる円筒部と、この円筒部の中央貫通孔の左右の開口部からそれぞれ挿入される左右一対の軸体とで構成され、上記左右一対の軸体の内側端部同士を所定距離離間させた状態にし、これら両軸体の外側端部を上記凹部の左右両横側壁に回転自在に支受させた請求項１記載のローラ付塗布容器。
【請求項３】
上記蓋部に着脱自在に取り付けられる断面形状Ｆ字状のキャップを設け、このキャップの断面形状Ｆ字状の下板を上記凹部の底面と上記ローラの外周面との間に嵌挿して上記凹部の底面と上記ローラの外周面とで着脱自在に挟持させ、上記下板の下面で上記凹部の底面に穿設された塗布液流出用貫通孔を塞ぎ、かつ、上記キャップの断面形状Ｆ字状の上板で上記ローラを覆うようにした請求項１または２記載のローラ付塗布容器。
【発明の詳細な説明】
【０００１】
【発明の属する技術分野】
本発明は、人間の皮膚表面等に脱毛用ローションや化粧用ローション等を塗布するローラ付塗布容器に関するものである。
【０００２】
【従来の技術】
従来から人間の皮膚表面等に脱毛用ローション等を塗布するものとして、種々のものが出回っているが、使い捨て用として作製されたものとして、例えば、図２３に示すような、ローラ付塗布容器がある。このローラ付塗布容器は、内部に脱毛用ローション（図示せず）が収容された容器本体３１と、この容器本体３１の首部（図示せず）に着脱自在に取り付けられる蓋部３２（図２４参照）と、上記容器本体３１に冠着されるキャップ３３とを備えており、上記蓋部３２の上端天井部３２ａに形成された横長形状の凹部３２ｂに、外周面に１条のらせん溝３４ａ（このらせん溝３４ａの旋回方向は左右で異なっている）が形成されたプラスチック製（例えば、ＡＢＳ製）のローラ３４が回転自在に支受されている。そして、使用時には、まず、キャップ３３，蓋部３２を取り外し、ついで、上記容器本体３１の首部の上端開口を蓋する仮栓（図示せず）を取り外し、つぎに、蓋部３２を容器本体３１の首部に取り付けたのち、容器本体３１を倒立状姿勢にしてローラ３４を人間の皮膚表面等上で転がすことが行われる。これにより、容器本体３１内の脱毛用ローションが容器本体３１の首部の上端開口から流出し、上記蓋部３２の凹部３２ｂに穿設した貫通穴（図示せず）を通ってローラ３４上に流れ落ち、このローラ３４の外周面に形成されたらせん溝３４ａに沿って、左右に送られながら、人間の皮膚表面等に塗布されるようにしている（例えば、特許文献１参照）。
【０００３】
【特許文献１】
特開平７−２３１８１１号公報
【０００４】
【発明が解決しようとする課題】
上記のローラ付塗布容器では、そのローラ３４の外周面にらせん溝３４ａが形成されているため、脱毛用ローションをローラ３４の外周面に層状に（所定の厚みを持たせた状態で）設けることができ、起伏や凹凸のある人間の皮膚表面等に対しても、脱毛用ローションを均一に塗布することができる。しかしながら、このものでは、ローラ３４の作製費が高価になり、ローラ付塗布容器のコストがアップするという問題がある。
【０００５】
本発明は、このような事情に鑑みなされたもので、安価で、しかも、脱毛用ローション等を人間の皮膚表面等に均一に塗布することができるローラ付塗布容器の提供をその目的とする。
【０００６】
【課題を解決するための手段】
上記の目的を達成するため、本発明のローラ付塗布容器は、上部が首部に形成された容器本体と、上記首部に取着される横長形状の蓋部と、この蓋部の上端部に形成された横長形状の凹部と、この凹部内に回転自在に横向き配設されたローラとを備え、このローラが可撓性部材からなり、上記凹部に、上記首部内に連通する塗布液流出用貫通孔が穿設されているという構成をとる。
【０００７】
すなわち、本発明のローラ付塗布容器は、これを構成するローラが可撓性部材からなっている。したがって、本発明では、ローラを人間の皮膚表面等に当接させながらローラを転がした場合に、人間の皮膚表面等の起伏や凹凸に対応してローラの外周面が変形し、これにより、ローラの外周面の全面を人間の皮膚表面等に当接させることができ、容器本体の首部，蓋部の凹部の塗布液流出用貫通孔を介してローラの外周面に供給される容器本体内の塗布液を人間の皮膚表面等に均一に塗布することができる。しかも、上記ローラの外周面にらせん溝等を形成する必要がないため、安価に作製することができ、本発明のローラ付塗布容器のコストダウンを図ることができる。なお、本発明において、「可撓性部材」とは、可撓性や弾性を有する部材を指し、その材料としては、例えば、シリコーンゴム，ＮＢＲ（ニトリルブタジエンラバー），ＥＰＲ（エチレンプロピレンラバー）等の各種ゴムや、ポリエステル系エラストマー，オレフィン系エラストマー等の各種プラスチックがあげられる。このような可撓性部材の硬度は、１０〜９０度であることが好ましく、１０〜６０度であることがさらに好ましい。
【０００８】
【発明の実施の形態】
つぎに、本発明の実施の形態を図面にもとづいて詳しく説明する。
【０００９】
図１は本発明のローラ付塗布容器の一実施の形態を示している。図において、１は容器本体であり、２は上記容器本体１の首部１ａに着脱自在に取着される蓋部であり、３は上記蓋部２に回転自在に支受されるローラであり、４は上記蓋部２に着脱自在に取り付けられるキャップである。
【００１０】
より詳しく説明すると、上記容器本体１は、可撓性を有するプラスチック製の有底筒状体からなり、その内部に脱毛用ローションが収容されている。また、上記容器本体１には、図２に示すように、その上部に首部１ａが形成されており、この首部１ａの外周面に、後述する蓋部２の筒状体１２のねじ部１２ａにら合するねじ部１ｂが形成されている。なお、この実施の形態では、上記容器本体１の首部１ａの上端開口に仮栓を取り付けていない。
【００１１】
上記蓋部２は、図３〜図７に示すように、横長形状の棒状体に形成されたプラスチック製のローラ支受部１１と、このローラ支受部１１の下面の左右方向および前後方向の中央部から下向きに突設されたプラスチック製の筒状体１２とからなり、上記ローラ支受部１１の上面に横長形状の凹部１３が形成されている。この凹部１３は、上記ローラ支受部１１の左右両側壁１４を残した状態で、前後方向（ローラ３の軸心方向に対して直交する方向）に貫通するように形成されており、これにより、上記ローラ支受部１１は、上面が開放されたコ字状の棒状体に形成されている。また、上記凹部１３の底面（すなわち、上記ローラ支受部１１の底壁１５の上面）の前端部には、その左右方向全幅にわたって突条１６が突設されており、その上面１６ａがローラ３の外周面３ａに近接する位置で、ローラ３の外周面３ａに沿う湾曲面に形成されている。また、上記ローラ支受部１１の左右両側壁１４にはそれぞれ、相対向する一対の貫通孔１４ａが穿設されており、両貫通孔１４ａに、後述するローラ３の両ピン２１が回転自在に挿通，支受されている。
【００１２】
また、上記筒状体１２には、その内周面に、上記首部１ａのねじ部１ｂにら合するねじ部１２ａが形成されている。また、上記筒状体１２の天井面と上記ローラ支受部１１の凹部１３の底面とは、上記ローラ支受部１１の底壁１５に穿設された貫通孔１７により、連通している。この貫通孔１７は、上記ローラ３の軸心方向に沿って一定の前後幅で左右に細長く形成されており、上記筒状体１２の天井面から上方に向かって一定の左右幅で垂直方向に穿設された１条の下側貫通孔１８と、この下側貫通孔１８の上端開口１８ａから上方に向かって幅広がり状に（すなわち、左右両側面が、上方にいくほど外側に傾斜するテーパー状に）穿設された１条の上側貫通孔１９とからなり、この上側貫通孔１９の上端開口１９ａが上記ローラ支受部１１の凹部１３の底面に開口している。なお、上記上側貫通孔１９は、その左右両側面の上端部の傾斜角度がその下側の傾斜角度よりかなり急になっている。
【００１３】
上記ローラ３は、図８に示すように、シリコーンゴム製のチューブからなるローラ部（円筒体）２０と、このローラ部２０の中央貫通孔２０ａにこの中央貫通孔２０ａの左右方向中央部で所定距離（例えば、２〜３ｍｍ程度）離間させた状態で挿通される左右一対のピン（軸体）２１とからなり、これら両ピン２１の外側端部２１ａが、上記ローラ支受部１１の左右両側壁１４の貫通孔１４ａに回転自在に挿通，支受されている。図において、３ａはローラ３の外周面である。
【００１４】
上記キャップ４は、プラスチック製であり、図９〜図１２に示すように、断面形状Ｆ字状に形成されている。そして、上記蓋部２にキャップ４を着脱自在に取り付けた状態では、上記キャップ４の断面形状Ｆ字状の上板２３が上記ローラ３の上方に配設されており、上板２３でローラ３の上側が覆われるようにしている（図２０参照）。また、上記断面形状Ｆ字状の下板２４がローラ３の外周面３ａとローラ支受部１１の凹部１３の底面との間に嵌挿されており、これにより、下板２４が上記凹部１３の底面とローラ３の外周面３ａとで着脱自在に挟持されている。その状態で、下板２４の下面が上記凹部１３の底面に密着状に当接し、下板２４の下面で上記ローラ支受部１１の底壁１５の貫通孔１７の上端開口（すなわち、上側貫通孔１９の上端開口）１９ａを塞いでいる。また、下板２４の上面が上記ローラ３の外周面３ａで押圧されている。
【００１５】
上記蓋部２にローラ３を取付ける場合には、ローラ支受部１１の凹部１３にローラ３を配設し、ローラ支受部１１の左右両側壁１４の貫通孔１４ａに、ローラ３の中央貫通孔２０ａを位置合わせし、その状態で、上記左右両側壁１４の貫通孔１４ａの外側からそれぞれピン２１を挿入し、ローラ３の中央貫通孔２０ａに挿入させることを行う（図１３〜図１６参照）。このとき、上記ローラ部２０の中央貫通孔２０ａの左右方向中央部で、両ピン２１の内側端部間の隙間を２〜３ｍｍ程度に設定しておく。また、両ピン２１の外側端部２１ａは、上記左右両側壁１４の貫通孔１４ａに回転自在に支受されている。
【００１６】
また、上記蓋部２にキャップ４を取り付ける場合には、ローラ３の後側にキャップ４を配設し、キャップ４の下板２４を上記ローラ支受部１１の凹部１３の底面とローラ３の外周面３ａとの間の隙間に位置合わせし、その状態で、キャップ４を蓋部２側に移動させ、キャップ４の下板２４を上記隙間に押し込むことを行う（図１７〜図２０参照）。これにより、上記したように、上記蓋部２にキャップ４が着脱自在に取り付けられ、上記キャップ４の断面形状Ｆ字状の上板２３が上記ローラ３の上方に配設され、下板２４がローラ３の外周面３ａとローラ支受部１１の凹部１３の底面との間に嵌挿される。
【００１７】
上記のように構成されたローラ付塗布容器は、不使用時には、蓋部２の筒状体１２のねじ部１２ａを容器本体１の首部１ａのねじ部１ｂにねじ止めし、そののち、キャップ４を蓋部２に取り付けることが行われる（図２０参照）。また、使用時には、キャップ４を取り外し、そののち、容器本体１を倒立姿勢にしてローラ３を人間の皮膚表面等上で転がすことが行われる。これにより、容器本体１内の脱毛用ローションが容器本体１の首部１ａ内部を通り、この首部１ａの上端開口から流出し、上記蓋部の貫通孔１７を通ってローラ３上に流れ落ち、このローラ３の回転に伴って、このローラ３の外周面３ａが人間の皮膚表面等に密着しながら回転し、人間の皮膚表面等に塗布されるようになる。
【００１８】
上記のように、このローラ付塗布容器によれば、ローラ３を人間の皮膚表面等上で転がすだけで、脱毛用ローションを塗布することができ、脱毛等することができる。この場合に、ローラ３のローラ部２０は、シリコーンゴム製のチューブで構成されているため、それ自体が可撓性や弾性を有しており、人間の皮膚表面等の起伏等に対応して変形し、密着する。しかも、ローラ部２０の中央貫通孔２０ａの左右方向中央部で、両ピン２１間に２〜３ｍｍ程度の隙間を設けているため、ローラ部２０がさらに撓みやすくなる。しかも、キャップ４を取り付けることにより、その下板２４で上記ローラ支受部１１の底壁１５に穿設した貫通孔１７の上端開口１９ａを塞ぐことができ、従来例の仮栓をなくすことができる。
【００１９】
図２１は本発明のローラ付塗布容器の他の実施の形態を示している。この実施の形態では、上記実施の形態と同構成の蓋部２に、ローラ支受部１１と筒状体１２の外周部を取り囲むためのカバー部２６を設けるようにしている。ただし、このカバー部２６の後壁（図示せず）には、キャップ４を進退自在に移動させるための開口部（図示せず）が設けられている。それ以外の部分は上記実施の形態と同様であり、同様の部分には同じ符号を付している。この実施の形態でも、上記実施の形態と同様の作用・効果を奏する。
【００２０】
図２２は上記ローラ３の変形例を示している。この例では、ローラ部２０の中央貫通孔２０ａの内周面にプラスチック製チューブ２７が内嵌状に固定され、もしくは接着等により一体固定されている。それ以外の部分は、図８に示すローラ３と同様であり、同様の部分には同じ符号を付している。この例のローラ３を用いた場合にも、上記両実施の形態と同様の作用・効果を奏する。
【００２１】
なお、上記両実施の形態では、ローラ３を構成するローラ部２０の中央貫通孔２０ａに左右一対のピン２１を所定距離離間させた状態で挿通しているが、これに限定するものではなく、上記両ピン２１を離間させないで挿通してもよいし、上記両ピン２１に代えて、１本のピンを用いてもよい。また、上記両実施の形態では、上記ローラ部２０と両ピン２１を別体に作製しているが、ローラ部２０と両ピン２１とを一体に作製してもよい。
【００２２】
また、上記両実施の形態では、キャップ４として、断面形状Ｆ字状に形成されたものを用いているが、従来例と同様のもの（図２４参照）を用いてもよい。この場合には、容器本体１の首部１ａの上端開口を仮栓で着脱自在に蓋することを行う。また、上記両実施の形態では、塗布液として脱毛用ローションを用いているが、化粧用ローションや糊，塗料等を用いてもよい。
【００２３】
【発明の効果】
以上のように、本発明のローラ付塗布容器によれば、これを構成するローラが可撓性部材からなっているため、ローラを人間の皮膚表面等に当接させながらローラを転がした場合に、人間の皮膚表面等の起伏や凹凸に対応してローラの外周面が変形し、これにより、ローラの外周面の全面を人間の皮膚表面等に当接させることができ、容器本体の首部，蓋部の凹部の塗布液流出用貫通孔を介してローラの外周面に供給される容器本体内の塗布液を人間の皮膚表面等に均一に塗布することができる。しかも、上記ローラの外周面にらせん溝等を形成する必要がないため、安価に作製することができ、本発明のローラ付塗布容器のコストダウンを図ることができる。
【００２４】
本発明において、上記ローラが、可撓性部材からなる円筒部と、この円筒部の中央貫通孔の左右の開口部からそれぞれ挿入される左右一対の軸体とで構成され、上記左右一対の軸体の内側端部同士を所定距離離間させた状態にし、これら両軸体の外側端部を上記凹部の左右両横側壁に回転自在に支受させた場合には、上記両軸体間の隙間により、ローラの円筒部が撓んだり、変形したりしやすくなる。
【００２５】
本発明において、上記蓋部に着脱自在に取り付けられる断面形状Ｆ字状のキャップを設け、このキャップの断面形状Ｆ字状の下板を上記凹部の底面と上記ローラの外周面との間に嵌挿して上記凹部の底面と上記ローラの外周面とで着脱自在に挟持させ、上記下板の下面で上記凹部の底面に穿設された塗布液流出用貫通孔を塞ぎ、かつ、上記キャップの断面形状Ｆ字状の上板で上記ローラを覆うようにした場合には、上記蓋部にキャップを取り付けた（すなわち、上記下板を上記凹部の底面と上記ローラの外周面との間に嵌挿して上記凹部の底面と上記ローラの外周面とで挟持させた）状態で、上記下板の下面で上記凹部の底面の塗布液流出用貫通孔を塞ぐことができ、従来用いていた仮栓を省略することができる。
【図面の簡単な説明】
【図１】本発明のローラ付塗布容器の一実施の形態を示す正面図である。
【図２】容器本体の正面図である。
【図３】蓋部の正面図である。
【図４】上記蓋部の平面図である。
【図５】上記蓋部の側面図である。
【図６】上記蓋部の断面図である。
【図７】上記蓋部の要部の断面図である。
【図８】ローラの断面面である。
【図９】キャップの正面図である。
【図１０】上記キャップの底面図である。
【図１１】上記キャップの側面図である。
【図１２】上記キャップの断面図である。
【図１３】上記蓋部にローラを取り付けた状態を示す平面図である。
【図１４】上記蓋部にローラを取り付けた状態を示す断面図である。
【図１５】上記蓋部にローラを取り付けた状態を示す側面図である。
【図１６】上記蓋部にローラを取り付けた状態を示す要部の断面図である。
【図１７】上記蓋部にキャップを取り付けた状態を示す正面図である。
【図１８】上記蓋部にキャップを取り付けた状態を示す側面図である。
【図１９】上記蓋部にキャップを取り付けた状態を示す平面図である。
【図２０】上記蓋部にキャップを取り付けた状態を示す要部の断面図である。
【図２１】本発明のローラ付塗布容器の他の実施の形態を示す正面図である。
【図２２】上記ローラの変形例を示す断面図である。
【図２３】従来例を示す正面図である。
【図２４】従来例の蓋部を示す正面図である。
【符号の説明】
１  容器本体
１ａ  首部
２  蓋部
３  ローラ
１３  凹部
【図１】
2005027815.tif 000003
【図２】
2005027815.tif 000004
【図３】
2005027815.tif 000005
【図４】
2005027815.tif 000006
【図５】
2005027815.tif 000007
【図６】
2005027815.tif 000008
【図７】
2005027815.tif 000009
【図８】
2005027815.tif 000010
【図９】
2005027815.tif 000011
【図１０】
2005027815.tif 000012
【図１１】
2005027815.tif 000013
【図１２】
2005027815.tif 000014
【図１３】
2005027815.tif 000015
【図１４】
2005027815.tif 000016
【図１５】
2005027815.tif 000017
【図１６】
2005027815.tif 000018
【図１７】
2005027815.tif 000019
【図１８】
2005027815.tif 000020
【図１９】
2005027815.tif 000021
【図２０】
2005027815.tif 000022
【図２１】
2005027815.tif 000023
【図２２】
2005027815.tif 000024
【図２３】
2005027815.tif 000025
【図２４】
2005027815.tif 000026